【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】
ｍ個の入力（ｍ＝１、２、３、...、Ｍ）及びｎ個の出力（ｎ＝１、２、３、...、Ｎ）を有する検査対象光学装置（ＤＵＴ）の特性を判定又は検証するためのシステムであって、特徴の異なる複数の刺激信号（Ｓｉ）を前記ｍ個の入力のうちの少なくとも１つに印加するものにおいて、
前記ｎ個の出力のうちの少なくとも１つにおいて応答信号（Ｒｉ）を受信するように構成された信号受信装置（２０）と、
印加した前記刺激信号（Ｓｉ）のうちの少なくとも１つ又はその指示に関連する前記応答信号（Ｒｉ）を評価することにより、前記ＤＵＴ（１０）の特性を判定又は検証するように構成された評価装置（３０）と
からなるシステム。
【請求項２】
前記評価装置（３０）は、受信した前記応答信号の各々において、印加した前記刺激信号の少なくとも一部を識別するように構成される、請求項１に記載のシステム。
【請求項３】
前記評価装置（３０）は、印加した前記刺激信号に関係する前記識別部分の定量分析を実施するように構成される、請求項２に記載のシステム。
【請求項４】
ｍ個の入力（ｍ＝１、２、３、...、Ｍ）及びｎ個の出力（ｎ＝１、２、３、...、Ｎ）を有する検査対象光学装置（ＤＵＴ）を検査するためのシステムであって、
特徴の異なる複数の刺激信号（Ｓｉ）を前記ｍ個の入力のうちの少なくとも１つに印加するように構成された信号印加装置（４０）と、
請求項１〜３のうちのいずれか一項に記載の、ＤＵＴ（１０）の特性を判定又は検証するためのシステムと
からなるシステム。
【請求項５】
前記信号印加装置（４０）は、受信した各応答信号（Ｒｉ）において、印加した各刺激信号（Ｓｉ）を追跡（存在の確認、即ち検出可能閾値を超えているか否かの確認）出来るような方法で、前記特徴の異なる複数の刺激信号（Ｓｉ）を印加するように構成される、請求項４に記載のシステム。
【請求項６】
前記信号印加装置（４０）は、各刺激信号（Ｓｉ）が固有の特徴を有する、特徴の異なる複数の刺激信号（Ｓｉ）を印加することにより、受信した各応答信号（Ｒｉ）において、各刺激信号又はその一部を明確に識別出来るように構成される、請求項４又は請求項５に記載のシステム。
【請求項７】
前記信号印加装置（４０）は、各刺激信号（Ｓｉ）が搬送波部分及び／又は識別部分を有する、特徴の異なる複数の刺激信号（Ｓｉ）を印加するように構成され、前記搬送波部分及び識別部分のうちの少なくとも一方が固有の特徴を有し、受信した各応答信号において各刺激信号又はその一部を明確に識別することが出来るように構成される、請求項４〜６のうちのいずれか一項に記載のシステム。
【請求項８】
前記信号印加装置（４０）は、前記特徴の異なる複数の刺激信号（Ｓｉ）を生成する際に変調又は符号化を実施するように構成される、請求項１及び請求項５〜７のうちのいずれか一項に記載のシステム。
【請求項９】
前記信号印加装置（４０）は、前記特徴の異なる複数の刺激信号（Ｓｉ）のうちの少なくとも一部を並列に、好ましくは同時に、又は少なくとも実質的に同時に提供するように構成される、請求項１及び請求項５〜８のうちのいずれか一項に記載のシステム。
【請求項１０】
特徴の異なる複数の光学刺激信号（Ｓｉ）を、ｍ個の入力（ｍ＝１、２、３、...、Ｍ）及びｎ個の出力（ｎ＝１、２、３、...、Ｎ）を有する検査対象光学装置（ＤＵＴ）の少なくとも１つの入力に印加するように構成された信号印加装置（４０）。
【請求項１１】
前記信号印加装置（４０）は、各刺激信号（Ｓｉ）が固有の特徴を有する、特徴の異なる複数の刺激信号（Ｓｉ）を印加するように構成され、各刺激信号（Ｓｉ）を明確に識別することが出来るように構成される、請求項１０に記載の信号印加装置（４０）。
【請求項１２】
前記信号印加装置（４０）は、各刺激信号（Ｓｉ）が搬送波部分及び／又は識別部分を有する、特徴の異なる複数の刺激信号（Ｓｉ）を印加するように構成され、前記搬送波部分及び識別部分のうちの少なくとも一方が固有の特徴を有し、受信した各応答信号において各刺激信号又はその一部を明確に識別することが出来るように構成される、請求項１０又は請求項１１に記載の信号印加装置。
【請求項１３】
前記信号印加装置（４０）は、前記特徴の異なる複数の刺激信号（Ｓｉ）を生成する際に変調又は符号化を実施するための装置を含む、請求項１０〜１２のうちのいずれか一項に記載の信号印加装置（４０）。
【請求項１４】
前記信号印加装置（４０）は、前記特徴の異なる複数の刺激信号（Ｓｉ）のうちの少なくとも一部を並列に、好ましくは同時に、又は少なくとも実質的に同時に提供するように構成される、請求項１０〜１３のうちのいずれか一項に記載の信号印加装置（４０）。
【請求項１５】
ｍ個の入力（ｍ＝１、２、３、...、Ｍ）及びｎ個の出力（ｎ＝１、２、３、...、Ｎ）を有する検査対象光学装置（ＤＵＴ）を検査するためのシステムであって、
特徴の異なる複数の刺激信号（Ｓｉ）を前記ｍ個の入力のうちの少なくとも１つに印加するように構成された信号印加装置（４０）と、
前記ｎ個の出力のうちの少なくとも１つにおいて応答信号（Ｒｉ）を受信するように構成された信号受信装置（２０）と、
印加した前記刺激信号（Ｓｉ）のうちの少なくとも１つ又はその指示に関連する前記応答信号（Ｒｉ）を評価することにより、前記ＤＵＴ（１０）の特性を判定又は評価するように構成された評価装置（３０）と
からなるシステム。
【請求項１６】
前記信号印加装置（４０）は、受信した各応答信号（Ｒｉ）において、印加した各刺激信号（Ｓｉ）を追跡（存在の確認、即ち検出可能閾値を超えているか否かの確認）出来るような方法で、前記特徴の異なる複数の刺激信号（Ｓｉ）を印加するように構成される、請求項１５に記載のシステム。
【請求項１７】
前記評価装置（３０）は、受信した前記応答信号（Ｒｉ）の各々において、印加した前記刺激信号の少なくとも一部を識別するように構成される、請求項１５又は請求項１６に記載のシステム。
【請求項１８】
前記評価装置（３０）は、印加した前記刺激信号に関係する前記識別部分の定量分析を実施するように構成される、請求項１６に記載のシステム。
【請求項１９】
前記信号印加装置（４０）は、各刺激信号が固有の特徴を有する、特徴の異なる複数の刺激信号（Ｓｉ）を印加することにより、受信した各応答信号（Ｒｉ）において、各刺激信号又はその一部を明確に識別出来るように構成される、請求項１５〜１８のうちのいずれか一項に記載のシステム。
【請求項２０】
前記信号印加装置（４０）は、各刺激信号（Ｓｉ）が搬送波部分及び／又は識別部分を有する、特徴の異なる複数の刺激信号（Ｓｉ）を印加するように構成され、前記搬送波部分及び識別部分のうちの少なくとも一方が固有の特徴を有し、受信した応答信号において各刺激信号又はその一部を明確に識別することが出来るように構成される、請求項１５〜１９のうちのいずれか一項に記載のシステム。
【請求項２１】
前記信号印加装置（４０）は、特徴の異なる複数の刺激信号（Ｓｉ）を生成する際に変調又は符号化を実施するように構成される、請求項１５〜２０のうちのいずれか一項に記載のシステム。
【請求項２２】
前記信号印加装置（４０）は、前記特徴の異なる複数の刺激信号（Ｓｉ）のうちの少なくとも一部を並列に、好ましくは同時に、又は少なくとも実質的に同時に提供するように構成される、請求項１５〜２１のうちのいずれか一項に記載のシステム。
【請求項２３】
ｍ個の入力（ｍ＝１、２、３、...、Ｍ）及びｎ個の出力（ｎ＝１、２、３、...、Ｎ）を有する検査対象光学装置（ＤＵＴ）の特性を判定又は検証するための方法であって、
（ａ）特徴の異なる複数の刺激信号（Ｓｉ）を前記ｍ個の入力のうちの少なくとも１つに印加することに応答して、前記ｍ個の出力のうちの少なくとも１つにおいて応答信号（Ｒｉ）を受信するステップと、
（ｂ）印加した前記刺激信号（Ｓｉ）のうちの少なくとも１つ又はその指示に関連する前記応答信号（Ｒｉ）を評価することにより、前記ＤＵＴ（１０）の特性を判定又は検証するステップと
からなる方法。
【請求項２４】
ｍ個の入力（ｍ＝１、２、３、...、Ｍ）及びｎ個の出力（ｎ＝１、２、３、...、Ｎ）を有する検査対象光学装置（ＤＵＴ）を検査するための方法であって、
（ａ）特徴の異なる複数の刺激信号（Ｓｉ）を前記ｍ個の入力のうちの少なくとも１つに印加するステップと、
（ｂ）前記ｎ個の出力のうちの少なくとも１つにおいて応答信号（Ｒｉ）を受信するステップと、
（ｃ）印加した前記刺激信号（Ｓｉ）のうちの少なくとも１つ又はその指示に関連する前記応答信号（Ｒｉ）を評価することにより、前記ＤＵＴの特性を判定又は検証するステップと
からなる方法。
【請求項２５】
前記ステップ（ａ）において印加される特徴の異なる複数の刺激信号（Ｓｉ）は、前記ステップ（ｃ）で受信された各応答信号（Ｒｉ）において、印加した各刺激信号（Ｓｉ）を追跡（存在の確認、即ち検出可能閾値を超えているか否かの確認）出来るような方法で印加される、請求項２４に記載の方法。
【請求項２６】
前記ステップ（ａ）は、各刺激信号（Ｓｉ）を明確に変調又は符号化するステップを含む、請求項２４又は請求項２５に記載の方法。
【請求項２７】
前記ステップ（ａ）において、前記特徴の異なる複数の刺激信号（Ｓｉ）のうちの少なくとも一部が並列に、好ましくは同時に、又は少なくとも実質的に同時に提供される、請求項２４〜２６のうちのいずれか一項に記載の方法。
【請求項２８】
特徴の異なる複数の光刺激信号（Ｓｉ）を、ｍ個の入力（ｍ＝１、２、３、...、Ｍ）及びｎ個の出力（ｎ＝１、２、３、...、Ｎ）を有する検査対象光学装置（ＤＵＴ）の少なくとも１つの入力に印加するための方法であって、
（ａ）各刺激信号が搬送波部分及び／又は識別部分を有する、特徴の異なる複数の刺激信号（Ｓｉ）であって、前記搬送波部分及び前記識別部分のうちの少なくとも一方が、各刺激信号を明確に識別する固有の特徴を有するように構成された、特徴の異なる複数の刺激信号（Ｓｉ）を印加するステップ、を含む方法。
【請求項２９】
前記特徴の異なる複数の刺激信号（Ｓｉ）を生成する際に変調又は符号化を実施するステップ、をさらに含む請求項２８に記載の方法。
【請求項３０】
前記特徴の異なる複数の刺激信号（Ｓｉ）のうちの少なくとも一部を並列に、好ましくは同時に、又は少なくとも実質的に同時に印加するステップを含む、請求項２８又は請求項２９に記載の方法。